(57)【要約】      （修正有）【課題】昼夜や屋内外あるいは周囲の照明の有無を問わず再帰性高輝度反射体等の被照射体が示す反射光状態を視認するために、幼児から老齢者に至る広範囲の使用者が安全かつ簡易に使用でき視認効果が確実で且つ製造しやすい、反射光視認用眼鏡を提供する。【解決手段】被照射体を照射する光源本体４を視認用眼鏡枠体２に固着若しくは軸着させることにより、眼鏡枠体を眼に当てるだけで反射光束が視野内に入り反射効果を視認しやすく、且つ上記視認用眼鏡枠体の視野部に濃色透明シート３、３’を装着することにより眼の暗視順応を高め、昼間や照明された室内であっても容易に反射光を視認できるように構成する。【選択図】図１
0003197364.tif 000002
【実用新案登録請求の範囲】
【請求項１】
光源から照射した光束が被照射体から反射する状態を視認するための眼鏡において、両眼視方向に光束を照射する光源を眼鏡枠に固着若しくは軸着したことを特徴とする反射光視認用眼鏡。
【請求項２】
前記眼鏡枠の視野部に眼の暗視順応を容易にする濃色透明フィルムを装着して成る事を特徴とする請求項１記載の反射光視認用眼鏡。
【考案の詳細な説明】
【考案の詳細な説明】
【技術分野】
【０００１】  本考案は被照射体に外部から光を照射して、該被照射体がどの程度の反射性能を有しているかの反射効果を、夜間のみならず周囲が明るい屋内昼間あるいは照明の明るい室内であっても、視認するための眼鏡に関するものである。
【背景技術】
【０００２】  従来、例えば壁等に投射されたレーザー光跡を視認するための反射光視認用眼鏡等、種々の製品が知られている。これらは特定の波長域のみを透過しやすい透明若しくは半透明のレンズやプラスチックシートを視野部に組込んだものであり、それら本体の形状はゴーグル状あるいはサングラス状のものである。しかしながら自らは光源を持たず外部から照射された光を高効率で反射する反射材の反射状況の視認、取り分け再帰性反射材の反射光の視認は照射する外部光源に隣接した適切な位置に視野を確保しなければ反射光を視認し難く、又周囲が明るいと観察者の瞳孔が狭くなり反射光が減衰して見えてしまうため反射状態を視認することが困難になるという問題点があった。
【先行技術文献】
【特許文献】
【０００３】
【特許文献１】特公平０８−１４６３６０号公報
【考案の概要】
【考案が解決しようとする課題】
【０００４】  本考案の目的はこのような難点を解消するものであり、すなわち昼夜や屋内外あるいは周囲の照明の有無を問わず、安全かつ簡易であり効果の確実な被照射体のもつ反射状態を視認するための反射光視認用眼鏡を提供することにある。
【課題を解決するための手段】
【０００５】  請求項１に記載の考案によれば、外部光源からの照射光が被照射体から反射した状態を視認する為の眼鏡枠体には、該外部光源が固着あるいは軸着しているので、反射光を視認する為に眼鏡を掛け更に光源を持って被照射体に光源の光束を向けながら反射光を視認するという被験者の行動が極めて単純化される効果が有る。すなわち光源が視野に近接して両眼視方向に固着もしくは軸着してあるので光源を点灯させて照射光束を被照射体に向けるだけで視野内に反射光を容易に視認することができる。上記のように本考案では光源と視野が近接した眼鏡枠を構成することにより課題を解決している。【０００６】  請求項２に記載の考案によれば、外部光源からの照射光が被照射体から反射した状態を視認する為の眼鏡枠体の視野部には、例えばゼラチンフィルムやスモーク色の塩化ビニル樹脂シート等の濃色の透明フィルムが任意の面積を有して装着されていることを特徴としている。この場合、眼鏡枠体の形状はゴーグル状、ツル状耳掛部のあるサングラス状あるいはツル状耳掛部を有しない眼鏡枠体のいずれをも選ぶものではない。すなわち上記のように本考案では視野部を濃色の透明フィルムで覆うことにより眼に疑似暗視順応を起こさせて瞳孔を拡大させ、周囲が明るい状態であったとしても被照射体からの反射光を視認できるように構成することにより課題を解決している。
【考案の効果】
【０００７】  すなわち、外部光源からの照射光を被照射体に当てて反射光を視認しようとする場合観察者の正面前方の観察者の眼の高さに正対させた反射面に観察者の顔の正面中央から照射光を発し回帰した反射光を直視する見方が最も効率的な見方である。請求項１の考案では、例えば眼鏡枠の両眼の中間である眉間や鼻梁の位置に、あるいは顔の両側や片側の眼に近接した位置に、光源を両眼視方向に固着あるいは軸着することにより反射光が比較的効率良く観察者の視野内で視認できる構成となっている。【０００８】  例えば再帰性高輝度反射材に照射光をあてて反射光の見え方を夜間や暗所で視認する場合等には、本考案の眼鏡枠体に取り付けられた光源を点灯させたのち通常の眼鏡をかける要領で顔の正面に該眼鏡枠体を当てると、両眼近傍からの照射光が被照射体である該反射体から反射され容易に反射光の状態を視認できるものである。【０００９】  更に上記記載の眼鏡枠体の視野部に任意の面積を有する濃色透明フィルムや樹脂シートで覆い視野部分を強制的に暗視状態にすると昼間の屋外あるいは照明された室内であったとしても観察者の瞳孔は疑似暗順応によって拡大するので反射光は減衰せずに視認する事が可能となる。上記眼鏡枠体光源を点灯すれば夜間あるいは暗室内においても同様に反射光を視認する事ができる。
上述のように本考案の反射光視認用眼鏡は、昼夜や屋内外を問わず被照射体から回帰する反射光の状態を極めて容易かつ確実に視認できるものである。また本考案による眼鏡枠体の視野部には偏光フィルターあるいは特定の波長域を減衰選択する色フィルターは不要であり全体の光量を減衰させる濃色フィルムを具備するので、Ａ光源のみならずＢ光源やＣ光源以外にも必要に応じて種々の光源による反射光の違いを視認する事ができるものであり有効な視認効果をもたらす安全、簡便かつ極めて効果的な反射光視認眼鏡である。
【実施例】
【００１０】  以下、添付図面に従って一実施例を説明する。［第１図］によって説明すると本図は、双眼型の眼鏡枠体の右側外縁を延長し懐中電灯型の光源を付加した反射光視認用眼鏡本体を示す斜視図である。眼鏡枠体２は紙、合成紙、樹脂板よりなり視野部２ａ、２ａ’には濃色透明樹脂シート３、３’が内装されている。電源本体４は眼鏡枠体２に固着され、眼鏡枠体に対する発光体４ａの取付角度は垂直若しくは垂直以下である。使用する場合は、電源スイッチを入れ発光体からの光束を被照射体に当て眼鏡枠体を顔に近付けて視野部を通して反射光を視認する。【００１１】［第２図］によって説明すると、本図は［第１図］に示す反射光視認用眼鏡の使用状態を示す平面図による説明図である。すなわち観察者Ａが眼鏡枠体２を眼にあて光源本体３のスイッチを入れて発光体からの光束を被照射体Ｂに照射した状態を示す平面図である。発光体からの照射光５は一群の光束となって被照射体に照射され反射光６も同様に光束となって反射される。光源本体４は観察者の眼に極めて近接しているので発光体の光束が狭い集光光束であっても反射光は観察者の視野内に入りやすい。照射光束がビーム状の細い場合は発光体若しくは光源本体を眼鏡枠体に軸着し、眼鏡枠体との取付角が垂直以下になるように調整すれば反射光の視認は容易である。
【図面の簡単な説明】
【００１２】
【図１】本考案実施例の反射光視認用眼鏡本体を示す斜視図である。
【図２】本考案実施例の使用状態を示す平面図による説明図である
【符号の説明】
【００１３】１      反射光視認用眼鏡本体
２      眼鏡枠体
２ａ    視野部
２ａ’  視野部
３      濃色透明シート
３’    濃色透明シート
４      光源本体
４ａ    発光体
４ｂ    スイッチ操作部
５      照射光
６      反射光
Ａ      観察者
Ｂ      被照射材
【図１】
0003197364.tif 000003
【図２】
0003197364.tif 000004